(57)【要約】【課題】素足で履くフットカバーにおいて、縫い目があるために歩行時やパンプスの脱ぎ履き時にフットカバーが脱げてしまったり履き位置がずれてしまったり、縫い目があるために履きにくかったり履き心地が悪かったりする。【解決手段】このフットカバー１００は、爪先と踵を含む足底とを被覆するとともに足甲および足首を露出するフットカバーであって、爪先部１０２Ａ、足底部１０２Ｃ、側辺部１０２Ｂおよび踵部１０２Ｄは、平面状の伸縮性編地（トリコット等）１０２を爪先接着テープ１０４および踵接着テープ１０６で接合することにより縫い目を備えないで立体的な形状に形成されている。【選択図】図１
2017014669.tif 000002
【特許請求の範囲】
【請求項１】
爪先と踵を含む足底とを被覆するとともに足甲および足首を露出するフットカバーであって、足底部、側辺部、踵部および前記爪先を覆う爪先部で形成され、
前記足底部、前記側辺部、前記踵部および前記爪先部は、平面状の伸縮性編地を接着テープで接合することにより縫い目を備えないで立体的な形状に形成されていることを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、履きやすく履き心地がよく、歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
ここで、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
特に、従来のフットカバーにおいて、足底部と踵部とを別々の生地で構成してそれらの生地が縫製されている場合、縫い目が足裏または踵に引っ掛かってしまうことがあり、歩行時やパンプスの脱ぎ履き時にフットカバーが脱げてしまったり履き位置がずれてしまったり、縫い目があるために履きにくかったり履き心地が悪かったりする問題がある。
本発明は、従来技術の上述の問題点に鑑みて開発されたものであり、その目的とするところは、縫い目があるために歩行時やパンプスの脱ぎ履き時にフットカバーが脱げてしま
ったり履き位置がずれてしまったりすることがなく、縫い目があるために履きにくかったり履き心地が悪かったりすることがないフットカバーを提供することを目的とする。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出する。このフットカバーは、足底部、側辺部、踵部および前記爪先を覆う爪先部で形成される。前記足底部、前記側辺部、前記踵部および前記爪先部は、平面状の伸縮性編地を接着テープで接合することにより縫い目を備えないで立体的な形状に形成されていることを特徴とする。
【０００９】
好ましくは、前記伸縮性編地は、所定の周縁形状を備えた１枚の平面状編地であって、前記周縁の一部どうしを接着テープで接合することにより形成されているように構成することができる。
【発明の効果】
【００１０】
本発明のフットカバーによれば、縫い目があるために歩行時やパンプスの脱ぎ履き時にフットカバーが脱げてしまったり履き位置がずれてしまったりすることがないようにすることができ、かつ、縫い目があるために履きにくかったり履き心地が悪かったりすることがないようにすることができる。
【図面の簡単な説明】
【００１１】
【図１】本発明の実施の形態に係るフットカバーの全体斜視図である。
【図２】図１のフットカバーを裏返した全体斜視図である。
【図３】図１のフットカバーを裏返した状態で、爪先前方から見た正面図（Ａ）および踵後方から見た背面図（Ｂ）である。
【図４】図１のフットカバーの展開図である。
【発明を実施するための形態】
【００１２】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその生地の接合方法がどのようなものであっても基本的には構わない。そのため、以下に示すフットカバーの構造自体は単なる例示でしかない。
【００１３】
なお、生地は、トリコット（経編み機の一種であるトリコット機で編んだ経編みの生地）、ベア天（ベア天竺：ポリウレタン糸を軸にして他の素材の糸（綿、ウール等）を巻きつけた糸（カバード・ヤーン）を用いて編んだ平編みの生地）等が好ましく用いられる。特に、これらの中でもトリコットは、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、でフットカバーに好ましい。
【００１４】
さらに、本実施の形態に係るフットカバーは、爪先と踵を含む足底とを被覆するとともに足甲および足首を露出するフットカバーであって、足底部、側辺部、踵部および爪先を覆う爪先部で形成される。これらの足底部、側辺部、踵部および爪先部は、平面状の伸縮性編地（少なくとも１枚）を接着テープで接合することにより縫い目を備えないで立体的な形状に形成されている。特に好ましくは、伸縮性編地は、所定の周縁形状を備えた１枚の平面状編地であって、周縁の一部どうしを接着テープで接合することにより形成されている。このような生地の接合については限定されるものではないが、帯状部材の一面に接着材が塗布された接着テープであって、加熱することにより接着材が溶融して生地を熱接着して接合するものが好ましい。なお、この接合には、熱圧着によるもの、熱溶着によるもの、熱融着によるもの等を含む。
【００１５】
図１に本発明の実施の形態に係るフットカバー１００の全体斜視図を、図２にこのフットカバー１００を裏返した全体斜視図を、図３（Ａ）にこのフットカバー１００を爪先前
方から見た正面図（裏返した状態）を、図３（Ｂ）にこのフットカバー１００を踵後方から見た背面図（裏返した状態）を、図４にこのフットカバー１００の展開図（型紙）を、それぞれ示す。ここで、図１、図２および図３は、着用者の足Ｆにフットカバー１００を着用している状態を想定している。すなわち、本発明の実施の形態に係るフットカバー１００は、トリコット等の伸縮性生地で形成されているために、このように想定して図示しない場合には縮んだ状態となり、形状を理解することが困難なため、上述のように想定している。
【００１６】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（トリコット等の生地）で形成されている。
フットカバー１００は、爪先部１０２Ａ、足底部１０２Ｃ、側辺部１０２Ｂおよび踵部１０２Ｄで形成されている。そして、足底部１０２Ｃに対して上下反対側に足を出し入れするための開口部が設けられている。この開口部を形成する爪先部１０２Ａの上縁の足甲の全幅に亘ってフットカバー１００の内側（足Ｆが接する側）に足甲部伸縮性細幅生地１１２が、側辺部１０２Ｂおよび踵部１０２Ｄの上縁の全周に亘ってフットカバー１００の内側（足Ｆが接する側）に周縁部伸縮性細幅生地１１４が、それぞれ設けられている。このフットカバー１００を履くときにこれらの足甲部伸縮性細幅生地１１２および周縁部伸縮性細幅生地１１４を伸張させると開口部が大きく開くために履きやすく、かつ、このフットカバー１００を履いた後はこれらの足甲部伸縮性細幅生地１１２および周縁部伸縮性細幅生地１１４を収縮して開口部が小さくなるために歩行時にフットカバー１００が脱げることがない。
【００１７】
さらに、このフットカバー１００の踵部１０２Ｄの上縁には、フットカバー１００の内側（足Ｆが接する側）には、シリコン樹脂等の薄い透明のシートで形成された踵部滑り止め１１６を設けることも好ましい。従って、踵部１０２Ｄには、生地１０２の上側（内側）に周縁部伸縮性細幅生地１１４が設けられさらにその上側（内側）に踵部滑り止め１１６が設けられている。これにより、足Ｆの踵との密着性を高めてフットカバー１００が足Ｆの踵の部分からずれることをさらに防止することができる。なお、この踵部滑り止め１１６は、本発明に係るフットカバーにおいて必須の構成ではない。
【００１８】
そして、このフットカバー１００の特徴は、図４の展開図に示すように、爪先部１０２Ａと側辺部１０２Ｂと足底部１０２Ｃと踵部１０２Ｄとが（すなわちこのフットカバー１００の全体が）所定の周縁形状を備えた１枚の生地１０２により構成されている点である。なお、生地は１枚でなく２枚（以上）であっても構わない。
この生地１０２において、図４に示すように爪先部１０２Ａが爪先谷線１２２で矢示Ｘ方向に折り返され、図２および図３（Ａ）に示すように（周縁の一部どうしである）爪先下側接着線１０４Ａと爪先上側接着線１０４Ｂとが爪先接着テープ１０４で接合されている。さらに、この生地１０２において、図４に示すように踵部１０２Ｄが踵谷線１２４で矢示Ｙ（１）方向および矢示Ｙ（２）方向に折り返され、図１および図３（Ｂ）に示すように（周縁の一部どうしである）踵左側接着線１０６Ａと踵右側接着線１０６Ｂとが踵接着テープ１０６で接合されている。この場合において、爪先接着テープ１０４および踵接着テープ１０６はその一面（生地１０２側）に接着材が塗布されており、加熱することにより爪先接着テープ１０４および踵接着テープ１０６に塗布された接着材が溶融して生地１０２を熱接着して接合している。また、爪先接着テープ１０４および踵接着テープ１０６は、生地１０２の表側（足Ｆが当接する面とは逆の面）から熱接着されて生地を接合している。しかしながら、爪先接着テープ１０４および／または踵接着テープ１０６は、生地１０２の裏側（足Ｆが当接する面：肌側）から熱接着されて生地を接合するようにしても構わない。このようにして、縫い目を備えないで爪先部１０２Ａと側辺部１０２Ｂと足底部１０２Ｃと踵部１０２Ｄとを備えたフットカバー１００が立体的に形成されている。
【００１９】
このように、このフットカバー１００においては、爪先部１０２Ａと側辺部１０２Ｂと足底部１０２Ｃと踵部１０２Ｄとが１枚の生地１０２で構成しているために、従来のフッ
トカバーのように足底部と踵部とが別々の生地で縫製されている場合に発生する縫い目が踵に引っ掛かって歩行時やパンプスの脱ぎ履き時にフットカバーが脱げてしまったり履き位置がずれてしまったりする問題を回避することができ、かつ、縫い目が全く存在しないので履き心地が極めて良いものとなる。
【００２０】
さらに、足底部１０２Ｃにおいて、足Ｆが接する側と反対側（パンプスを履いたときにパンプスの内底に接する側）には、シリコン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００２１】
なお、このフットカバー１００において、このフットカバー１００を形成する、生地１０２（爪先部１０２Ａ、側辺部１０２Ｂ、足底部１０２Ｃ、踵部１０２Ｄ）と、足甲部伸縮性細幅生地１１２および周縁部伸縮性細幅生地１１４とが同じ共生地で形成されていても構わない。すなわち、爪先接着テープ１０４および踵接着テープ１０６を除いて、このフットカバー１００は、全て同じ伸縮性生地（トリコット等）で形成されていても構わない。なお、このフットカバー１００において、足甲部伸縮性細幅生地１１２および周縁部伸縮性細幅生地１１４は、生地１０２に、熱プレス装置により加熱することにより足甲部伸縮性細幅生地１１２および周縁部伸縮性細幅生地１１４に塗布された接着材が溶融して生地１０２と熱接着して接合されている。
【００２２】
また、フットカバー１００において、このフットカバー１００を形成する生地１０２（爪先部１０２Ａ、側辺部１０２Ｂ、足底部１０２Ｃ、踵部１０２Ｄ）と、足甲部伸縮性細幅生地１１２および周縁部伸縮性細幅生地１１４とが同じ生地でなく、または、足甲部伸縮性細幅生地１１２と周縁部伸縮性細幅生地１１４とが同じ生地でなく形成されていても構わない。
【００２３】
以上のようにして、本実施の形態に係るフットカバー１００によると、爪先部１０２Ａと側辺部１０２Ｂと足底部１０２Ｃと踵部１０２Ｄとが１枚の生地１０２で構成しているために、従来のフットカバーのように足底部と踵部とが別々の生地で縫製されている場合に発生する問題である、縫い目が踵に引っ掛かって歩行時やパンプスの脱ぎ履き時にフットカバーが脱げてしまったり履き位置がずれてしまったりする問題、を回避することができる。さらに、このフットカバー１００によると、縫い目が全く存在しないので履き心地が極めて良いものとなる。
【００２４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２５】
本発明は、素足で履くフットカバーに好適であり、縫い目があるために歩行時やパンプスの脱ぎ履き時にフットカバーが脱げてしまったり履き位置がずれてしまったりすることがないように、かつ、縫い目があるために履きにくかったり履き心地が悪かったりすることがない点で特に好ましい。
【符号の説明】
【００２６】
１００  フットカバー
１０２  生地
１０２Ａ  爪先部
１０２Ｂ  側辺部
１０２Ｃ  足底部
１０２Ｄ  踵部
１０４  爪先接着テープ
１０４Ａ  爪先下側接着線
１０４Ｂ  爪先上側接着線
１０６  踵接着テープ
１０６Ａ  踵左側接着線
１０６Ｂ  踵右側接着線
１１２  足甲部伸縮性細幅生地
１１４  周縁部伸縮性細幅生地
１２２  爪先谷線
１２４  踵谷線
Ｆ  足
【図４】
2017014669.tif 000003
【図１】
2017014669.tif 000004
【図２】
2017014669.tif 000005
【図３】
2017014669.tif 000006